(57)【要約】【課題】主に、光源の数を減らしつつ照明ムラを防止し得るようにする。【解決手段】液晶パネル２５と、光源２６とを、ハウジング２７に設置し、ハウジング２７の内側壁に、内側反射面２９を設けた液晶表示装置２１に関する。  上記ハウジング２７内に、光源２６の真上に位置する第一反射部３１と、光源２６の指向角線Ａ上に位置する第二反射部３２と、を設ける。  上記第一反射部３１が、光源２６の幅寸法ｌよりも大きく、かつ、光源２６の指向角線Ａからハミ出さない大きさを有すると共に、光源２６からの直接光を上記内側反射面２９へ向けて反射させるものとされる。  上記第二反射部３２が、第一反射部３１よりも液晶パネル２５の近くに位置して、第一反射部３１を通過した光源２６からの直接光を、液晶パネル２５の裏面側の上記光源２６の真上の位置へ向けて反射させるものとされる。【選択図】図２
2015011938.tif 000002
【特許請求の範囲】
【請求項１】
情報を表示可能な液晶パネルと、
この液晶パネルの裏面側を照明する光源とを、
間隔を有してハウジングの表面側および裏面側にそれぞれ設置し、
上記ハウジングの内側壁に、光を上記液晶パネルの裏面側へ向けて反射させる内側反射面が設けられた液晶表示装置において、
上記ハウジング内に、
上記光源の真上に位置する第一反射部と、
上記光源の指向角線上に位置する第二反射部と、を設けると共に、
上記第一反射部が、上記光源の幅寸法よりも大きく、かつ、上記光源の指向角線からハミ出さない大きさを有すると共に、光源からの直接光を上記内側反射面へ向けて反射させるものとされ、
上記第二反射部が、上記第一反射部よりも上記液晶パネルの近くに位置して、上記第一反射部を通過した光源からの直接光を、上記液晶パネルの裏面側の上記光源の真上の位置へ向けて反射させるものとされたことを特徴とする液晶表示装置。
【請求項２】
上記第一反射部と上記第二反射部との間に、下方からの反射光を通す隙間を有して第三反射部が設けられ、
この第三反射部が、下方からの反射光を上記内側反射面へ向けて反射させると共に、
上記隙間を通って上記液晶パネルの裏面側の上記光源の真上の位置へ向かう下方からの反射光の光量を調整するものとされたことを特徴とする請求項１に記載の液晶表示装置。
【請求項３】
上記光源の中心線を基準として、
上記第一反射部と上記第二反射部、または、上記第一反射部と上記第二反射部と上記第三反射部とが、線対称状に設けられたことを特徴とする請求項１または請求項２に記載の液晶表示装置。
【請求項４】
上記ハウジングは、少なくとも上記内側反射面が、高い反射率を有するものとされたことを特徴とする請求項１ないし請求項３のいずれか１項に記載の液晶表示装置。
【請求項５】
上記内側反射面が、裏面側へ向って凹む凹曲面部を有することを特徴とする請求項１ないし請求項４のいずれか１項に記載の液晶表示装置。
【発明の詳細な説明】
【技術分野】
【０００１】
この発明は、液晶表示装置に関するものである。
【背景技術】
【０００２】
自動車などの車両には、車室内の前部にインストルメントパネルが設けられている。このインストルメントパネルおよびその周辺に対して、各種の液晶表示装置を設けることが行われている（例えば、特許文献１参照）。
【０００３】
図７に示すように、上記した液晶表示装置１は、情報を表示可能な液晶パネル２と、この液晶パネル２の裏面側を照明する光源３とを、所要の間隔４を有してハウジング５の表面側および裏面側にそれぞれ設置したものとされている。そして、上記したハウジング５の内側壁には、光６を上記液晶パネル２の裏面側へ向けて反射させる内側反射面７が設けられる。
【０００４】
この場合、この液晶表示装置１は、車両用計器装置の文字板８の裏面側で、文字板８に形成された開口部９の内側に設置されている。また、内側反射面７は、単なる平坦な傾斜面などとされている。
【先行技術文献】
【特許文献】
【０００５】
【特許文献１】特許第４８６３６８７号
【発明の概要】
【発明が解決しようとする課題】
【０００６】
しかしながら、上記特許文献１に記載された液晶表示装置１には、以下のような問題があった。
即ち、図８に示すように、液晶パネル２が、光源３の指向角１１よりも大きなもの（指向角１１からハミ出す大きさのもの）である場合には、光源３の数を増やして対応する必要があった（この場合には、光源３を３個並べて設けるようにしている）。
【０００７】
また、例えば、図７に示すように、光源３からの光６（直射光）が液晶パネル２の裏面に直接当たらないようにするために、光源３の真上に遮光部１２を設けるようにしていたので、光源３の真上に暗い部分１３が生じるなどによって照明ムラが生じ易くなっていた。
そこで、上記したような照明ムラを低減するために、液晶パネル２の裏面側などに対して、網点を施したフィルタ１４ａや、凹凸部１４ｂを施したフィルタなどの調光手段１４を設けて、調光手段１４を用いて光量を大きく低減させることで上記したような照明ムラの低減を図るようにしていた。
しかし、調光手段１４で光量を低減させるようにした場合には、光源３からの光６に無駄が生じるという問題があった。
【０００８】
そこで、本発明は、上記した問題点を解決することを、主な目的としている。
【課題を解決するための手段】
【０００９】
上記課題を解決するために、本発明は、
情報を表示可能な液晶パネルと、
該液晶パネルの裏面側を照明する光源とを、
間隔を有してハウジングの表面側および裏面側にそれぞれ設置し、
前記ハウジングの内側壁に、光を前記液晶パネルの裏面側へ向けて反射させる内側反射面が設けられた液晶表示装置において、
前記ハウジング内に、
前記光源の真上に位置する第一反射部と、
前記光源の指向角線上に位置する第二反射部と、を設けると共に、
前記第一反射部が、前記光源の幅寸法よりも大きく、かつ、前記光源の指向角線からハミ出さない大きさを有すると共に、光源からの直接光を前記内側反射面へ向けて反射させるものとされ、
前記第二反射部が、前記第一反射部よりも前記液晶パネルの近くに位置して、前記第一反射部を通過した光源からの直接光を、前記液晶パネルの裏面側の前記光源の真上の位置へ向けて反射させるものとされたことを特徴とする。
【発明の効果】
【００１０】
本発明によれば、上記構成によって、以下のような作用効果を得ることができる。
即ち、光源の真上に設けた第一反射部が、光源から出射される直接光のほとんどを内側反射面へ向けて反射させ、内側反射面がその反射光を拡散して液晶パネルの裏面側を広く照明することにより、間接照明効果を利用して液晶パネル全体をより均等に照明することができる。また、第一反射部からの反射光を内側反射面によって拡散させることにより、光源の数を増やさずに、指向角よりも広い範囲に対して多くの光を届かせることが可能になる。例えば、これまで３個の光源を必要としていたのを、１個の光源にまで減らすことなども可能となる。
光源の指向角線上に設けた第二反射部が、第一反射部で反射されなかった光源からの少量の直接光を液晶パネルの裏面側の光源の真上の位置へ向けて反射させることにより、第一反射部の真上の位置を間接照明することが可能となる。これにより、光源の真上の位置が暗くなることによる照明ムラを防止することができる。
同時に、第二反射部が、光源からの直接光を反射させる（遮る）ことにより、光源からの直接光が指向角線の延長上で液晶パネルの裏面側を直接照明することを防止して、指向角線の延長上に強烈な照明ムラが生じるのを防止することができる。
そして、第二反射部は、上記した直接光やハウジング内部の反射光を、ハウジングの裏面側や内側反射面へ向けて反射させるので、これにより、指向角よりも広い範囲に対して多くの光を届かせたり、照明ムラをなくしたりするのを補助することができる。
これらにより、網点や凹凸部などを施したフィルタなどのような、光量を大きく低減させることで照明ムラを緩和するような調光手段をなくすことが可能となり、調光手段を用いる場合には、光量を大きく低減させないような、薄肉で白色のもの（軽い調光手段）などにすることが可能となる。
【図面の簡単な説明】
【００１１】
【図１】本発明の実施例にかかる液晶表示装置が設けられた車両用表示装置の平面図である。
【図２】図１の液晶表示装置の断面図である。
【図３】図２のハウジングの斜視図である。
【図４】図２における直接光の光路図である。
【図５】図２における反射光（隙間を通ったもの）の光路図である。
【図６】図２における反射光（隙間を通らないもの）の光路図である。
【図７】従来例にかかる液晶表示装置の断面図である。
【図８】光源の数を増やした場合の液晶表示装置の断面図である。
【発明を実施するための形態】
【００１２】
以下、本実施の形態、および、それを具体化した実施例を、図面を用いて詳細に説明する。
図１〜図６は、この実施の形態の実施例およびその変形例を示すものである。
【実施例１】
【００１３】
＜構成＞以下、構成について説明する。
自動車などの車両には、車室内の前部にインストルメントパネルが設けられている。そして、このインストルメントパネルおよびその周辺に対し、図１に示すように、液晶表示装置２１を設ける。この場合、この液晶表示装置２１は、車両用計器装置２２の文字板２３の裏面側で、文字板２３に形成された開口部２４の内側に設置されている。但し、液晶表示装置２１の設置位置は、上記に限るものではない。
【００１４】
そして、図２に示すように、上記した液晶表示装置２１は、情報を表示可能な液晶パネル２５と、この液晶パネル２５の裏面側を照明する光源２６とを、間隔Ｈを有してハウジング２７の表面側および裏面側にそれぞれ設置したものとされている。そして、上記したハウジング２７の内側壁には、光２８（図４〜図６参照）を上記液晶パネル２５の裏面側へ向けて反射させる内側反射面２９が設けられる。
【００１５】
ここで、上記についての補足説明を行う。
上記した「液晶表示装置２１」は、液晶パネル２５を用いて表示を行わせるようにした表示装置のことである。この場合、液晶表示装置２１は、上記した文字板２３の内部に設けられて、例えば、シフトレンジや、走行距離や燃料残量などを表示させるようにしたものなどとされている。但し、液晶表示装置２１の表示内容は、上記に限るものではない。
【００１６】
上記した「液晶パネル２５」は、液晶の性質を利用して表示を行わせるようにした表示パネルである。液晶パネル２５は、自発光できないものであるため、バックライト照明が必要となる。そして、このバックライト照明を上記した光源２６を用いて行わせるようにしている。この場合、液晶パネル２５には、横方向に細長い短冊状のものが使用されている。この液晶パネル２５は、１個の光源２６の指向角θ（後述する）を越える大きさのものとなっている。
【００１７】
上記した「光源２６」は、上記したように液晶パネル２５をバックライト照明するために用いられるものである。光源２６には、ＬＥＤなどの点光源（厳密には点光源でない）が用いられる。この場合、光源２６は、細長い短冊状の液晶パネル２５に対して、１個のみ用いるようにしている。
【００１８】
上記した「間隔Ｈ」は、液晶パネル２５と光源２６との間の距離であり、この間隔Ｈによって基本的な照明光量の設定が行われる。即ち、この間隔Ｈが小さくなり過ぎると、局部的に照明光量が大きくなって照明ムラが生じ、反対に、間隔Ｈが大きくなり過ぎると、照明光量が不足して液晶パネル２５全体が暗くなってしまうので、間隔Ｈは、このようなことがないように最適な範囲に設定される。
【００１９】
上記した「光２８」は、光源２６から発生されるものである。
上記した「ハウジング２７」は、図３の斜視図で示されるような、樹脂製の枠状体とされる。この場合、ハウジング２７は、横方向（液晶パネル２５の長辺方向）に細長い短冊状の液晶パネル２５に対応した細長い形状を有するものとされる。
【００２０】
上記した「表面側」は、外部から液晶パネル２５を見る方向を基準として、手前側と言うことができる。ハウジング２７の表面側には、液晶パネル２５を取付けるための開口部（パネル取付用開口部２７ａ）が形成される。この場合、このパネル取付用開口部２７ａは、横方向に細長い短冊状の液晶パネル２５に対応した横長形状を有するものとされる。
【００２１】
上記した「裏面側」は、外部から液晶パネル２５を見る方向を基準として、奥側と言うことができる。ハウジング２７の裏面側には、光源２６を備えた（回路）基板３０を取付けるための開口部（基板３０取付用開口部２７ｂ）が形成される。なお、この実施例の基板３０は、その表面を、高い反射率を有する反射面（高反射面）とされる。この場合、この基板取付用開口部２７ｂは、後述する第一反射部３１や、第二反射部３２や、第三反射部３３などを成形するための型抜穴となるように形成される。
【００２２】
上記した「内側壁」は、ハウジング２７の側面の内側の面（内壁面）のことである。この内側壁は、横方向に細長い短冊状の液晶パネル２５に対応するように、長辺側の内側壁と短辺側の内側壁とで構成されている。そして、上記したパネル取付用開口部２７ａと基板取付用開口部２７ｂとの大きさの違いにより、長辺側の内側壁は、ほぼ垂直に近い縦壁とされ、短辺側の内側壁は、比較的大きく傾斜した斜め壁などとされる。
【００２３】
上記した「内側反射面２９」は、上記したような長辺側の内側壁と短辺側の内側壁との両方に形成することができる。但し、この場合には、主に、光源２６から斜めに長く延びている短辺側の内側壁の内面を対象としている。但し、長辺側の内側壁の内面を、同様の内側反射面２９としても良いことは、勿論である。
【００２４】
そして、以上のような基本的な構成に対し、この実施例のものでは、以下のような構成を備えるようにしている。
【００２５】
（構成１）
上記ハウジング２７内に、
上記光源２６の真上に位置する第一反射部３１と、
上記光源２６の指向角線Ａ上に位置する第二反射部３２と、を設ける。
そして、上記第一反射部３１が、上記光源２６の幅寸法ｌ（図２）よりも大きく、かつ、上記光源２６の指向角線Ａからハミ出さない大きさを有するものとされる。
更に、図４に示すように、上記第一反射部３１が、光源２６からの直接光（光２８）を上記内側反射面２９へ向けて反射させるものとされる。
また、上記第二反射部３２が、上記第一反射部３１よりも上記液晶パネル２５の近くに位置して、上記第一反射部３１を通過した光源２６からの直接光を、上記液晶パネル２５の裏面側の上記光源２６の真上の位置へ向けて反射させるものとされる。
【００２６】
（補足説明１）
ここで、上記した「第一反射部３１」は、ハウジング２７の長辺側の、対向する内側壁間を連結するように一体に形成された桟部材などとして構成される。但し、第一反射部３１は、別部材として形成してハウジング２７の内部に設置することもできる。
【００２７】
上記した「第二反射部３２」は、ハウジング２７の長辺側の、対向する内側壁間を連結するように一体に形成された桟部材などとして構成される。但し、第二反射部３２は、別部材として形成してハウジング２７の内部に設置することもできる。第一反射部３１と第二反射部３２とは、横方向に離して設置される。
【００２８】
上記した「幅寸法ｌ」は、光源２６の横方向の長さである。
上記した「指向角線Ａ」は、図中上下方向に延びる光源２６の中心線ＣＬに対して、光源２６からの光２８の広がり角である指向角θと等しい角度を有する線である。
【００２９】
上記した「内側反射面２９へ向けて反射させる」は、第一反射部３１での反射光（光２８）のほとんどが内側反射面２９へ向かうことである。そのために、第一反射部３１の光源２６側の面（裏面）には、内側反射面２９へ向かうように（外側へ向けて）傾斜された反射面３１ａが形成されている。この反射面３１ａは、光源２６に対して近い位置に形成されている。なお、第一反射部３１での反射光の一部については、基板３０の基板取付用開口部２７ｂに臨む部分へ向けて反射されることになる。
【００３０】
上記した「液晶パネル２５の近くに位置し」は、文字通り、図中上下方向に対して、第二反射部３２が第一反射部３１よりも液晶パネル２５の近くに存在することである。但し、第二反射部３２が液晶パネル２５に近付き過ぎると、第二反射部３２による影が生じてしまうので、このような影をなくすために、第二反射部３２と液晶パネル２５との距離ｈは、ｈ≧１／４Ｈとなるように設定している。
【００３１】
上記した「液晶パネル２５の裏面側の光源２６の真上の位置へ向けて反射させる」は、第一反射部３１を設けたことによって、液晶パネル２５の光源２６の真上に、暗い部分が生じないように、上記部分へ反射光を向かわせることである。そのために、第二反射部３２の側面には、光源２６からの（指向角線Ａ方向への）直接光を光源２６の真上の位置へ向けて反射させるための反射面３２ａが形成されている。また、第二反射部３２の裏面には、下方（基板３０）や内側反射面２９へ向けて光２８を反射させるようにした別の反射面３２ｂも形成される。
【００３２】
（構成２）
図５に示すように、上記第一反射部３１と上記第二反射部３２との間に、下方からの反射光を通す隙間３４を有して第三反射部３３が設けられるようにする。
この第三反射部３３は、下方からの反射光を上記内側反射面２９へ向けて反射させるものとされる。
また、図６に示すように、第三反射部３３は、上記隙間３４を通って上記液晶パネル２５の裏面側の上記光源２６の真上の位置へ向かう下方からの反射光の光量を調整するものとされる。
【００３３】
（補足説明２）
ここで、上記した「下方からの反射光」は、主に、基板３０からの反射光のことである。
【００３４】
上記した「隙間３４」は、第一反射部３１の側面と第三反射部３３との側面との間が開いていることである。また、隙間３４は、第二反射部３２の側面と第三反射部３３の側面との間が開いていることである。これらの隙間３４は、それぞれ、光源２６の上方などの照明ムラを改善するために最適となる大きさに設定される。
【００３５】
上記した「第三反射部３３」は、ハウジング２７の長辺側の、対向する内側壁間を連結するように一体に形成された桟部材などとして構成される。但し、第三反射部３３は、別部材として形成してハウジング２７の内部に設置することもできる。
この第三反射部３３は、第一反射部３１を（指向角線Ａ方向へ）通過して第二反射部３２へ向かう光源２６からの直接光をほとんど遮らないような位置（即ち、指向角線Ａよりも上側にズレた位置）に設置される。
第三反射部３３は、第一反射部３１と第二反射部３２との側面間の距離よりも狭い幅に形成されると共に、その幅寸法によって、隙間３４を通る光２８の量と、内側反射面２９へ向けて反射される光２８の量との割合を設定するものとされる。また、第三反射部３３の裏面には、下方からの反射光が内側反射面２９へ向かうように（外側へ向けて）傾斜された反射面３３ａが形成されている。
【００３６】
（構成３）
上記光源２６の中心線ＣＬを基準として、
上記第一反射部３１と上記第二反射部３２とが、線対称状に設けられる。
または、上記第一反射部３１と上記第二反射部３２と上記第三反射部３３とが、線対称状に設けられる（線対称形状部）。
【００３７】
（補足説明３）
ここで、上記した「中心線ＣＬ」は、光源２６の幅中心位置を通り、液晶パネル２５へ向けて垂直（図中上下方向）に延びる線のことである。
上記した「線対称状」は、上記した中心線ＣＬを基準として、その両側を対称状態にすることである。この場合、液晶パネル２５の長辺方向（図中左右方向）に対称となっている。
【００３８】
（構成４）
上記ハウジング２７は、少なくとも上記内側反射面２９が、高い反射率を有するものとされる（高反射面）。
【００３９】
（補足説明４）
ここで、上記した「反射率の高い」は、通常の樹脂材の（成形したままの）表面よりも、光２８の反射率が高まなっているという意味である。上記は、例えば、ハウジング２７を光２８の反射効果が高い材料によって形成することによって実施することができる。この場合には、白色の樹脂によって形成するようにしている。これにより、ハウジング２７は、全体が、反射率の高いものとなる。
【００４０】
また、上記は、例えば、ハウジング２７を構成する樹脂の表面を研磨して鏡面仕上げすることによっても実施することができる。この表面研磨は、少なくとも、内側反射面２９の部分に対して行うようにすれば良い。
【００４１】
あるいは、例えば、ハウジング２７を構成する樹脂の表面に金属メッキなどの表面処理を施すことによって実施することもできる。金属メッキを施す場合には、光沢感が美しく重厚で、しかも、耐久性の高いクロームメッキなどとするのが好ましい。このような表面処理は、内側反射面２９の部分のみ行うようにすれば良いが、一般的には、ハウジング２７全体をメッキ液にドブ漬けすることによって処理されることになるので、ハウジング２７は、全体が、反射率の高いものとなる。
【００４２】
なお、基板３０の表面も、内側反射面２９と同様にして、高い反射率を有するものとすることができる。
【００４３】
（構成５）
上記内側反射面２９が、裏面側へ向って凹む凹曲面部３６を有するものとされる。
【００４４】
（補足説明５）
ここで、「裏面側へ向って凹む」は、ハウジング２７の裏面側へ向かって全体的に膨らむような凹み形状のことである。
【００４５】
上記した「凹曲面部３６」は、上記したように、光源２６から端部までの距離が長い液晶パネル２５の短辺側の内側反射面２９に対して設けるようにする。凹曲面部３６は、例えば、円筒面や放物面などのような、滑らかで連続性のある曲面などとすることができる。
なお、液晶パネル２５の長辺側の内側反射面２９は、単なる平坦な傾斜面とされているが、上記と同様に、長辺側の内側反射面２９に対して凹曲面部３６を設けるようにしても良い。
【００４６】
＜作用＞以下、この実施例の作用について説明する。
車両用計器装置２２は、文字板２３を用いて、各種の運転情報などを表示することができる。
【００４７】
そして、文字板２３に設けられた液晶パネル２５を用いることによって、その他の（運転）情報などを表示させることができる。この際、液晶パネル２５を光源２６によって裏面側から照明させるようにする。
【００４８】
この液晶パネル２５と光源２６とは、ハウジング２７の表面側と裏面側とに対し、間隔Ｈを有してそれぞれ設置されており、この間隔Ｈによって、基本的な照明輝度の設定を行うようにしている。そして、光源２６からの光２８は、後述するように、直接液晶パネル２５の裏面側を照明したり、ハウジング２７の内側反射面２９などで反射された後に、液晶パネル２５の裏面側を間接的に照明したりすることになる。
【００４９】
＜効果＞この実施例によれば、以下のような効果を得ることができる。
（効果１）
光源２６の真上に設けた第一反射部３１が、光源２６から出射される直接光のほとんどを内側反射面２９へ向けて反射させ、この実施例の内側反射面２９がその反射光を拡散して液晶パネル２５の裏面側を広く照明することにより、間接照明効果を利用して液晶パネル２５全体をより均等に照明することができる。また、第一反射部３１からの反射光をこの実施例の内側反射面２９によって効率的に拡散させることにより、光源２６の数を増やさずに、指向角θよりも広い範囲に対して多くの光２８を届かせることが可能になる。例えば、これまで３個の光源２６を必要としていたのを、１個の光源２６にまで減らすことなども可能となる。
【００５０】
そして、光源２６の指向角線Ａ上に設けた第二反射部３２が、第一反射部３１で反射されなかった光源２６からの少量の直接光を液晶パネル２５の裏面側の光源２６の真上の位置へ向けて反射させることにより、第一反射部３１の真上の位置を間接照明することが可能となる。これにより、光源２６の真上の位置が暗くなることによる照明ムラを防止することができる。
【００５１】
同時に、第二反射部３２が、光源２６からの直接光を反射させる（遮る）ことにより、光源２６からの直接光が指向角線Ａの延長上で液晶パネル２５の裏面側を直接照明することを防止して、指向角線Ａの延長上に強烈な照明ムラが生じるのを防止することができる。
【００５２】
そして、第二反射部３２は、上記した直接光やハウジング２７内部の反射光を、ハウジング２７の裏面側（基板３０の側）や内側反射面２９へ向けて反射させるので、これにより、指向角θよりも広い範囲に対して多くの光２８を届かせたり、照明ムラをなくしたりするのを補助することができる。
【００５３】
これらにより、網点や凹凸部などを施したフィルタなどのような、光量を大きく低減させることで照明ムラを緩和させるような調光手段をなくすことが可能となり、調光手段を用いる場合には、光量を大きく低減させないような、薄肉で白色のもの（軽い調光手段）などにすることが可能となる。
【００５４】
（効果２）
第一反射部３１および第二反射部３２に加えて、これらの反射部の間に第三反射部３３を設けることにより、光源２６からの直接光や内側反射面２９からの反射光をより複雑に反射させたり、調整したりすることができるため、液晶パネル２５の裏面側を指向角θよりも広い範囲に亘ってより均等に照明することが可能となる。
【００５５】
より具体的には、第三反射部３３が、下方からの反射光を内側反射面２９へ向けて反射させることにより、指向角線Ａの外側へ向かう光２８の光量を増やすことができると共に、指向角線Ａの外側へ向かう光２８をより拡散させて、照明ムラをなくすことができる。
【００５６】
また、第三反射部３３が、上記隙間３４を通って液晶パネル２５の裏面側（の光源２６の真上の位置）へ向かう下方からの反射光の光量を調整することにより、光源２６の真上に照明ムラがなくなるようにすることが可能となる。
【００５７】
なお、上記した反射部は、更に多く設けるようにしても良いが、余り多く設け過ぎると、ハウジング２７の構造が複雑になってしまうと共に、必要以上の反射によって光量が減衰してしまうため、第三反射部３３程度までにしておくのが最適である。
【００５８】
（効果３）
光源２６の中心線ＣＬを基準として、第一反射部３１と第二反射部３２、または、第一反射部３１と第二反射部３２と第三反射部３３とが、線対称状に設けられることにより、各反射部の構成を単純化すると共に、対照的な照明効果を得ることができ、また、設計も容易となる。
【００５９】
（効果４）
ハウジング２７の内側反射面２９を、光２８の反射率が高くなるようにすることにより、内側反射面２９で光２８を効果的に反射させて、少ない光源２６であっても液晶パネル２５の照明輝度を上げることができる。
【００６０】
（効果５）
内側反射面２９に凹曲面部３６を設けたことにより、凹曲面部３６で光２８をより広く拡散させて、光源２６の指向角線Ａよりも外側となる部分に、より均等に光２８を行き亘らせることが可能となる。
【００６１】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６２】
２１  液晶表示装置
２５  液晶パネル
２６  光源
２７  ハウジング
２８  光
２９  内側反射面
３１  第一反射部
３２  第二反射部
３３  第三反射部
３４  隙間
３６  凹曲面部
Ａ    指向角線
ＣＬ  中心線
Ｈ    間隔
ｌ    幅寸法
【図１】
2015011938.tif 000003
【図２】
2015011938.tif 000004
【図３】
2015011938.tif 000005
【図４】
2015011938.tif 000006
【図５】
2015011938.tif 000007
【図６】
2015011938.tif 000008
【図７】
2015011938.tif 000009
【図８】
2015011938.tif 000010